(57)【要約】【課題】ビデオ信号にパネル設定データを重畳されることによって、ドライバを制御することができる。【解決手段】制御部６３は、画像処理部６１に、ドライバ用制御信号をシリアル通信で画像処理部６１に供給する。画像処理部６１は、映像信号処理部１２から入力されたデジタル信号をビデオメモリ１４に記憶させるとともに、それを適宜読み出しながら所定の信号処理を行って、水平および垂直ブランキング期間を有するビデオ信号に変換する。画像処理部６１はこの際、制御部６３からのドライバ用制御信号に応じたパネル設定データを、変換したビデオ信号の垂直ブランキング期間に重畳する。【選択図】図２
2005260651.tif 000002
【特許請求の範囲】
【請求項１】
入力された信号に所定の信号処理を行い、生成した画像信号を表示装置の駆動手段に対して出力する画像処理装置において、
前記画像信号の所定の区間に、前記駆動手段を制御するための制御データを重畳する重畳手段と、
前記制御データが重畳された前記画像信号を前記駆動手段に出力する出力手段と
を備えることを特徴とする画像処理装置。
【請求項２】
前記所定の区間とは、前記画像信号の垂直ブランキングデータが挿入されている区間である
ことを特徴とする請求項１に記載の画像処理装置。
【請求項３】
前記所定の区間において、前記制御データは、前記駆動手段が制御しようとする前記表示装置の各パラメータ毎に配置され、各パラメータの制御データは複数回繰り返して配置されるように重畳される
ことを特徴とする請求項２に記載の画像処理装置。
【請求項４】
表示装置の駆動手段に入力される画像信号の所定の区間に、前記駆動手段を制御するための制御データを重畳する重畳ステップと、
前記制御データが重畳された前記画像信号を前記駆動手段に送信する送信ステップと
を含むことを特徴とする画像処理方法。
【請求項５】
画像を表示する表示部と、
前記表示部を駆動する駆動手段と、
入力された画像信号の所定の区間に重畳された、前記表示部を制御するための制御データを抽出する抽出手段と
を備える表示装置において、
前記駆動手段は、前記抽出手段により抽出された前記制御データに基づいて、前記画像信号に対応する画像が表示されるように前記表示部を駆動する
ことを特徴とする表示装置。
【請求項６】
前記所定の区間とは、前記画像信号の垂直ブランキングデータが挿入されている区間である
ことを特徴とする請求項５に記載の画像処理装置。
【請求項７】
前記所定の区間において、前記制御データは、前記駆動手段が制御しようとする前記表示部の各パラメータ毎に配置され、各パラメータの制御データは複数回繰り返して配置されるように重畳されることを特徴とする請求項６に記載の表示装置。
【請求項８】
前記抽出手段は、前記複数回繰り返して配置された各パラメータの制御データを積分するとともに、その積分結果に応じたデータを、前記制御データとする
ことを特徴とする請求項７に記載の表示装置。
【請求項９】
画像を表示する表示装置の駆動手段に送られる画像信号の所定の区間に重畳された、前記駆動手段を制御するための制御データを抽出する抽出ステップと、
前記抽出ステップの処理で抽出された前記制御データに基づいて前記表示装置を駆動する駆動ステップと
を含むことを特徴とする表示方法。
【請求項１０】
入力された信号に所定の信号処理を行い、画像信号を出力する画像処理部と、
前記画像信号が入力される表示制御部と、
前記表示制御部より出力された駆動信号が入力されることにより駆動する表示部と
を備える電子装置において、
前記画像処理部は、前記画像信号の垂直ブランキングデータが挿入されている区間に、前記表示制御部を制御するための制御データを重畳し、
前記表示制御部は、前記画像信号に重畳された前記制御データを抽出し、抽出した制御データに基づいた前記表示部を駆動するための駆動信号を出力する
ことを特徴とする電子装置。
【発明の詳細な説明】
【技術分野】
【０００１】
本発明は、画像処理装置および方法、表示装置および方法、並びに電子装置に関し、表示素子駆動を適切に制御することができるようにした画像処理装置および方法、表示装置および方法、並びに電子装置に関するものである。
【背景技術】
【０００２】
図１は、従来のデジタルビデオカメラ１の構成例を示している。
【０００３】
レンズやCCD等から構成される撮像部１１による撮像の結果得られた映像信号は、映像信号処理部１２に入力される。映像信号処理部１２は、入力された映像信号に対して、所定のカメラ信号処理を施してデジタル信号に変換し、画像処理部１３に供給する。
【０００４】
画像処理部１３は、入力されたデジタルビデオ信号をビデオメモリ１４に記憶させるとともに、それを適宜読み出しながら所定の信号処理を行って、水平および垂直ブランキング期間を有するビデオ信号を生成する。画像処理部１３は、変換したビデオ信号を表示制御部１５に出力する。なおブランキング期間とは、帰線期間に画像が表示されるのを防止するためのものであり、その期間には、ブランキング信号が挿入されている。
【０００５】
画像処理部１３はまた、入力されたデジタルビデオ信号を圧縮し、例えば、デジタルビデオカメラ１に対して脱着自在な記録媒体１９に記録する。
【０００６】
表示制御部１５は、表示部１６の駆動装置である。表示制御部１５は、制御部１７からシリアル通信でドライバ用制御信号を受信し、そのドライバ用制御信号に示されるパネル設定データに基づいて、画像処理部１３より入力されたビデオ信号に対応する画像を表示部１６に表示させる（入力された画像信号を、パネル設定データに基づいて、表示部１６の表示素子に対応した形式の信号に変換する）。
【０００７】
例えば、表示制御部１５は、制御部１７から入力されたドライバ用制御信号に示されるパネル設定データに基づいてパネル設定項目（ＲＧＢ  ＡＭＰ、液晶の共通電極電位信号の振幅、液晶の共通電極電位信号のＤＣ成分、コントラスト、画像の反転、ホワイトバランス、バックライトのオンオフ等）の設定値を設定更新し、その設定値に基づいて表示部１６の画像表示を制御する。
【０００８】
表示部１６は、液晶パネル等で構成されており、表示制御部１５により駆動され、所定の画像を表示する。
【０００９】
制御部１７は、画像処理部１３、入力制御部１８、および表示制御部１５を制御する。すなわち制御部１７は、入力制御部１８から供給された、図示せぬ各種ダイヤルやボタン等に対する操作内容に応じたパネル設定項目の設定を行うためのパネル設定データを、ドライバ用制御信号としてシリアル通信で表示制御部１５に出力する。
【００１０】
入力制御部１８は、図示せぬ各種ダイヤルやボタン等に対する操作内容を制御部１７に通知する。
【００１１】
ドライバ用制御信号は、クロックＳＣＫ、データＳＩ（パネル設定データ）、クロックＣＳから構成されており、そのため、制御部１７と表示制御部１５との間には、合計３本のシリアル通信配線が設けられている。クロックＳＣＫの立ち上がりで、データＳＩが読み込まれる。その読み込み動作は、クロックＣＳの立ち下がりから開始される。
【００１２】
ところで制御部１７と表示制御部１５は、一般に別のデバイスで構成されており、それらは離れた位置に設けられているので、その間にシリアル通信のための配線を設けると、装置の小型化の妨げになるとともに、配線の干渉による誤動作が生じる等の問題があった。そこで、特許文献１に示すような、シリアル通信線自体の数を減らす試みがなされている。
【特許文献１】特開２００１−６９５８３号公報
【発明の開示】
【発明が解決しようとする課題】
【００１３】
しかしながら、シリアル通信線自体の数を減らす試みがなされても、ドライバ用制御信号自体は必要であり、結局制御部１７と表示制御部１５との間にシリアル通信配線が必要となるので、上述した問題を解決することはできなかった。
【００１４】
本発明はこのような状況に鑑みてなされたものであり、画像処理部１３を介して表示制御部１５を制御することができるようにしたものである。
【課題を解決するための手段】
【００１５】
本発明の画像処理装置は、画像信号の所定の区間に、駆動手段を制御するための制御データを重畳する重畳手段と、制御データが重畳された画像信号を駆動手段に出力する出力手段とを備えることを特徴とする。
【００１６】
所定の区間が、画像信号の垂直ブランキングデータが挿入されている区間であるようにすることができる。
【００１７】
所定の区間において、制御データは、駆動手段が制御しようとする表示装置の各パラメータ毎に配置され、各パラメータの制御データは複数回繰り返して配置されるように重畳されるようにすることができる。
【００１８】
本発明の画像処理方法は、表示装置の駆動手段に入力される画像信号の所定の区間に、駆動手段を制御するための制御データを重畳する重畳ステップと、制御データが重畳された画像信号を駆動手段に送信する送信ステップとを含むことを特徴とする。
【００１９】
本発明の画像処理装置および方法においては、表示装置の駆動手段に入力される画像信号の所定の区間に、駆動手段を制御するための制御データが重畳され、制御データが重畳された画像信号が駆動手段に送信される。
【００２０】
本発明の、画像を表示する表示部と、表示部を駆動する駆動手段と、入力された画像信号の所定の区間に重畳された、表示部を制御するための制御データを抽出する抽出手段とを備える表示装置は、駆動手段は、抽出手段により抽出された制御データに基づいて、画像信号に対応する画像が表示されるように表示部を駆動することができる。
【００２１】
所定の区間は、画像信号の垂直ブランキングデータが挿入されている区間であるようにすることができる。
【００２２】
所定の区間において、制御データは、駆動手段が制御しようとする表示部の各パラメータ毎に配置され、各パラメータの制御データは複数回繰り返して配置されるように重畳されるようにすることができる。
【００２３】
抽出手段は、複数回繰り返して配置された各パラメータの制御データを積分するとともに、その積分結果に応じたデータを、制御データとすることができる。
【００２４】
本発明の表示方法は、画像を表示する表示装置の駆動手段に送られる画像信号の所定の区間に重畳された、駆動手段を制御するための制御データを抽出する抽出ステップと、抽出ステップの処理で抽出された制御データに基づいて表示装置を駆動する駆動ステップとを含むことを特徴とする。
【００２５】
本発明の表示装置および方法においては、画像を表示する表示装置の駆動手段に送られる画像信号の所定の区間に重畳された、駆動手段を制御するための制御データが抽出され、抽出された制御データに基づいて表示装置が駆動される。
【００２６】
本発明の、入力された信号に所定の信号処理を行い、画像信号を出力する画像処理部と、画像信号が入力される表示制御部と、表示制御部より出力された駆動信号が入力されることにより駆動する表示部とを備える電子装置は、画像処理部は、画像信号の垂直ブランキングデータが挿入されている区間に、表示制御部を制御するための制御データを重畳し、表示制御部は、画像信号に重畳された制御データを抽出し、抽出した制御データに基づいた表示部を駆動するための駆動信号を出力することを特徴とする。
【００２７】
本発明の、入力された信号に所定の信号処理を行い、画像信号を出力する画像処理部と、画像信号が入力される表示制御部と、表示制御部より出力された駆動信号が入力されることにより駆動する表示部とを備える電子装置においては、画像処理部で、画像信号の垂直ブランキングデータが挿入されている区間に、表示制御部を制御するための制御データが重畳され、表示制御部で、画像信号に重畳された制御データが抽出され、抽出された制御データに基づいた表示部を駆動するための駆動信号が出力される。
【発明の効果】
【００２８】
本発明によれば、パネル設定データを、ビデオ信号の所定の区間に重畳することができ、例えば、ドライバ用制御信号を送信するためのシリアル通信配線による不具合を解消することができる。
【発明を実施するための最良の形態】
【００２９】
以下に本発明の実施の形態を説明するが、本明細書に記載の発明と、発明の実施の形態との対応関係を例示すると、次のようになる。この記載は、本明細書に記載されている発明をサポートする実施の形態が本明細書に記載されていることを確認するためのものである。従って、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００３０】
さらに、この記載は、本明細書に記載されている発明の全てを意味するものではない。換言すれば、この記載は、本明細書に記載されている発明であって、この出願では請求されていない発明の存在、すなわち、将来、分割出願されたり、補正により出現、追加される発明の存在を否定するものではない。
【００３１】
本発明の画像処理装置は、画像信号の所定の区間に、駆動手段を制御するための制御データ（図４のデータＷ0乃至Ｗ7）を重畳する重畳手段（例えば、図３のレジスタ群７３乃至スイッチ７９）と、制御データが重畳された画像信号を駆動手段に出力する出力手段（例えば、図３のＤ−ＦＦ８０）とを備えることを特徴とする。
【００３２】
所定の区間が、画像信号の垂直ブランキングデータが挿入されている区間（例えば、図４のブランキング期間に対応した区間）であるようにすることができる。
【００３３】
所定の区間において、制御データは、駆動手段が制御しようとする表示装置の各パラメータ毎に配置され、各パラメータの制御データは複数回繰り返して配置（例えば、図５に示すように配置）されるように重畳されるようにすることができる。
【００３４】
本発明の、画像を表示する表示部（例えば、図２の表示部１６）と、表示部を駆動する駆動手段（例えば、図６のドライバ９２）と、入力された画像信号の所定の区間に重畳された、表示部を制御するための制御データを抽出する抽出手段（例えば、図６のデコーダ９１）とを備える表示装置は、駆動手段は、抽出手段により抽出された制御データに基づいて、画像信号に対応する画像が表示されるように表示部を駆動することができる。
【００３５】
抽出手段（例えば、図８のデコーダ１５１）は、複数回繰り返して配置された各パラメータの制御データを積分するとともに、その積分結果に応じたデータを、制御データとすることができる。
【００３６】
本発明の、入力された信号に所定の信号処理を行い、画像信号を出力する画像処理部（例えば、図２の画像処理部６１）と、画像信号が入力される表示制御部（例えば、図２の表示制御部６２）と、表示制御部より出力された駆動信号が入力されることにより駆動する表示部（例えば、表示部１６）とを備える電子装置は、画像処理部は、画像信号の垂直ブランキングデータが挿入されている区間に、表示制御部を制御するための制御データを重畳し、表示制御部は、画像信号に重畳された制御データを抽出し、抽出した制御データに基づいた表示部を駆動するための駆動信号を出力することを特徴とする。
【００３７】
図２は、本発明を適用したデジタルビデオカメラ５１の構成例を示している。このデジタルビデオカメラ５１には、図１のデジタルビデオカメラ１の画像処理部１３、表示制御部１５、および制御部１７に代えて、画像処理部６１、表示制御部６２、および制御部６３が設けられている。他の部分については、図１における場合と同様であるので、その説明は適宜省略する。
【００３８】
制御部６３は、いわゆるＣＰＵ、ＲＯＭ、ＲＡＭで構成されるマイクロコンピュータであり、入力制御部１８および画像処理部６１を制御するが、ドライバ用制御信号（クロックＳＣＫ、データＳＩ、クロックＣＳ）を、シリアル通信で画像処理部６１に供給する。
【００３９】
画像処理部６１は、映像信号処理部１２から入力されたデジタルビデオ信号をビデオメモリ１４に記憶させるとともに、それを適宜読み出しながら所定の信号処理を行って、水平および垂直ブランキング期間を有するビデオ信号を生成する。
【００４０】
画像処理部６１はこの際、制御部６３からのドライバ用制御信号に応じたパネル設定データを、生成したビデオ信号の所定の区間に重畳する。具体的には、例えば、垂直ブランキングデータが挿入されている区間に、パネル設定データが挿入される。
【００４１】
パネル設定データが重畳されたビデオ信号は、表示制御部６２に供給される。
【００４２】
すなわちデジタルビデオカメラ５１では、制御部６３と表示制御部６２との間ではなく、制御部６３と画像処理部６１との間に、３本のシリアル通信配線が設けられている。制御部６３と画像処理部６１は、通常、１個のデバイス内に実装されていることが多く、その距離は、制御部６３と表示制御部６２との間の距離に比べ短い。従って、制御部６３と表示制御部６２との間に設ける場合に比べ、シリアル通信配線を短くすることができるので、装置の小型化を図ることができるとともに、干渉による不具合を解消することができる。
【００４３】
なお画像処理部６１は、ドライバ用制御信号のクロックＳＣＫの立ち上がりでデータＳＩの個々のパネル設定データを取り込む。その読み込み動作はクロックＣＳの立ち下がりから開始される
【００４４】
表示制御部６２は、画像処理部６１から供給されたビデオ信号から、そこに重畳されたパネル設定データを抽出するとともに、そのパネル設定データに対応する各パネル設定項目の設定値に基づいて、ビデオ信号に対応する画像を表示部１６に表示させる。
【００４５】
図３は、画像処理部６１の本発明に係る部分の構成例を示している。
【００４６】
入力部７１は、映像信号処理部１２から画像処理部６１に供給されたビデオ信号（８ビット）を入力し、それをスイッチ７９に出力する。
【００４７】
デコーダ７２には、制御部６３からのドライバ用制御信号（クロックＳＣＫ、クロックＣＫ、データＳＩ）が入力される。デコーダ７２は、データＳＩを適宜デコードし、その結果に応じてレジスタ群７３の各レジスタ８１に格納されているパネル設定データを書き換える。
【００４８】
レジスタ群７３の９個のレジスタ８１−１乃至８１−９のうち、レジスタ８１−１には、００ｈが、残りの８個のレジスタ８１−２乃至８１−９には、パネル設定項目のパネル設定データ（８ビット）が格納されている。
【００４９】
セレクタ７４は、セレクタ制御部７８の制御によって、レジスタ群７３の各レジスタ８１を順番に選択し、選択したレジスタ８１に格納されている００ｈまたはパネル設定データ（８ビット）を、スイッチ７９に供給する。
【００５０】
クロック発生部７５は、動作クロックを発生して、タイミング発生部７６、カウンタ７７、およびＤフリップフロップ（以下、Ｄ−ＦＦと称する）８０、並びに表示制御部６２に出力する。
【００５１】
タイミング発生部７６は、クロック発生部７５からのクロックを利用して、図４Ａに示すような水平同期信号と、図４Ｂに示すような垂直同期信号を発生し、表示制御部６２に出力する。
【００５２】
タイミング発生部７６はまた、図４Ｃに示すように、垂直同期信号（図４Ｂ）が立ち下がるタイミング（垂直ブランキング期間の開始時）に、リセット信号をカウンタ７７に出力するとともに、図４Ｄに示すように、スイッチ７９へのスイッチング信号をＨにする。
【００５３】
これによりカウンタ７７は、カウント値をリセットしてカウントを開始し、スイッチ７９は、セレクタ７４の出力を選択する。
【００５４】
タイミング発生部７６はまた、垂直同期信号の立ち下がりから所定の期間経過して垂直ブランキング期間終了するタイミングで、スイッチ７９へのスイッチング信号をＬにする。これによりスイッチ７９は、入力を、入力部７１の出力に切り換える。
【００５５】
カウンタ７７は、タイミング発生部７６からのリセット信号でカウント値をリセットしてクロック発生部７５からのクロックをカウントし、そのカウント値をセレクタ制御部７８に供給する。
【００５６】
セレクタ制御部７８は、セレクタ７４を制御して、カウンタ７７が８クロックをカウントする毎に、レジスタ群７３のレジスタ８１−１乃至８１−９を順次選択させるとともに、レジスタ８１−９の選択後は、レジスタ８１−１を再度選択させ、その選択を維持させる。
【００５７】
なおカウンタ７７からのカウント値は、この例の場合８ビットであるが、セレクタ制御部７８は、８クロック分のカウント値（００００１０００）を必要とするので、８ビット中、下３個のビットｂ0乃至ｂ2を無視し、４個目のビットｂ3のみが確認されるようになされている。
【００５８】
スイッチ７９は、タイミング発生部７６からのスイッチング信号に応じて、入力を、入力部７１の出力かセレクタ７４の出力に切り換える。
【００５９】
Ｄ−ＦＦ８０は、クロック発生部７５からのクロックに同期して、スイッチ７９からのデータを、表示制御部６２に供給する。
【００６０】
このように画像処理部６１は構成されている。すなわちタイミング発生部７６により、垂直ブランキング期間は、Ｈのスイッチング信号がスイッチ７９に供給されるので、その間は、図４Ｅに示すように、セレクタ７４からの出力（パネル設定データＣＤとブランキングデータＢＤ）が、Ｄ−ＦＦ８０を介して表示制御部６２に供給される。また垂直ブランキング期間中では、セレクタ制御部７８により、８クロック毎に、レジスタ群７３のレジスタ８１―１乃至８１−９が順次選択されるとともに、レジスタ８１−９の選択後は、レジスタ８１−１が再度選択され、その選択が維持されるので、図４Ｆに示すように、垂直ブランキング期間の最初の７２クロックに相当する期間には、００ｈ、データｗ０乃至ｗ７が挿入される。
【００６１】
なお、レジスタ８１からは、１クロック毎にデータ（パネル設定データ）が読み出され、セレクタ７４は、８クロックの間は、同じレジスタ８１からのデータを選択しているので、その間、セレクタ７４からは、図５に示すように、同じデータが８回繰り返して出力される。
【００６２】
図５は、図４Ｆに示す００ｈ，データｗ０乃至データ７を詳細に示しており、クロック（図５中、上段）毎のデータを表している。図５中、左向きの小さな矢印は、矢印が示す先の値（１クロック前の値）と同じであることを示している。すなわち各データＷは、８個の同じデータ（８ビットデータ）が連続して配置されて構成されている。
【００６３】
垂直ブランキング期間終了後は、タイミング発生部７６により、Ｌのスイッチング信号がスイッチ７９に送信されるので、図４Ｅに示すように、そのときから次のフィールドの垂直ブランキング期間が開始されるまでの間は、入力部７１の出力（有効なビデオ信号ＶＤ）が、Ｄ−ＦＦ８０を介して表示制御部６２に供給される。
【００６４】
このようにしてドライバ用制御信号がビデオ信号に重畳される。
【００６５】
次に表示制御部６２の構成を、図６を参照して説明する。
【００６６】
デコーダ９１は、画像処理部６１から入力されたビデオ信号をドライバ９２に供給する。デコーダ９１はまた、ビデオ信号に重畳されているパネル設定データを抽出して、それをドライバ９２に供給する。なおこの例の場合、垂直ブランキング期間毎にパネル設定データが挿入されているので、フィールド毎にパネル設定データがドライバ９２に供給される。
【００６７】
ドライバ９２は、デコーダ９１から供給されたパネル設定データに基づいて、対応するパネル設定項目の設定値を、メモリ９２Ａに設定し、更新する。ドライバ９２は、メモリ９２Ａに設定されたパネル設定項目の設定値に基づいて、ビデオ信号に対応する画像を表示部１６に表示させる。
【００６８】
デコーダ９１のラッチパルス生成部１０１には、画像処理部６１から供給された垂直同期信号とクロックが供給される。
【００６９】
ラッチパルス生成部１０１とシリアル／パラレル変換部１０２−１乃至１０２−８（以下、個々に区別する必要がない場合、単に、シリアル／パラレル変換部１０２と称する。他の場合についても同様とする）について、図７に示すラッチパルス生成部１０１とシリアル／パラレル変換部１０２で入出力される信号のタイミングチャートを参照して説明する。
【００７０】
ラッチパルス生成部１０１は、垂直同期信号（図７Ａ）が立ち下がるタイミング（垂直ブランキング期間開始時）に、内蔵するカウンタをリセットするとともに、図７Ｄに示すように、そのときから８クロック乃至１６クロックをカウントする間の所定のタイミングでラッチパルスＬ１を発生し、シリアル／パラレル変換部１０２−１に出力する。その後、ラッチパルス生成部１０１は、８クロック間隔でラッチパルスＬ２（図７Ｆ）乃至Ｌ８を発生し、シリアル／パラレル変換部１０２−２乃至１０２−８に出力する。
【００７１】
シリアル／パラレル変換部１０２−１乃至１０２−８には、ラッチパルス生成部１０１からのラッチパルスＬと、画像処理部６１から供給されたビデオ信号（８ビット）が入力される。
【００７２】
シリアル／パラレル変換部１０２は、ラッチパルス生成部１０１からラッチパルスＬが入力されると、そのタイミングで入力された画像処理部６１からのデータ（８ビット）をラッチする。そしてシリアル／パラレル変換部１０２は、それをシリアル／パラレル変換するとともに、その結果得られた１バイトのうちの所定のビットをドライバ９２に供給する。
【００７３】
例えば、シリアル／パラレル変換部１０２−１には、図７Ｄに示すように、パネル設定データｗ０（図７Ｂ）が入力されているタイミングでラッチパルスＬ１が入力されるので、シリアル／パラレル変換部１０２−１は、シリアル／パラレル変換によりパネル設定データｗ０を得、ドライバ９２に供給する。なおこの例の場合、この８ビットのデータは、コントラストの値を示している。
【００７４】
またシリアル／パラレル変換部１０２−２には、図７Ｆに示すように、パネル設定データｗ１（図７Ｂ）が入力されているタイミングでラッチパルスＬ２が入力されるので、シリアル／パラレル変換部１０２−２は、シリアル／パラレル変換によりデータｗ１を得、その中の４ビットをドライバ９２に供給する。なおこの例の場合、この４ビットの最初のビットは、画像の上下反転の有無を示しており、次のビットは、左右反転の有無を示しており、次のビットは、ホワイトバランスの有無を、そして次のビットは、バックライトのオンオフを示している。
【００７５】
次にドライバ９２について説明する。ドライバ９２は、図７Ｅ，７Ｇに示すように、デコーダ９１から供給されるフィールド毎のパネル設定データに基づいてパネル設定項目を設定更新する。
【００７６】
図７Ｅは、ｎ番目のフィールドから得られたパネル設定項目Ｃ１（コントラスト）の設定値ｎが、ｎ＋１番目のフィールドから得られたパネル設定項目Ｃ１の設定値ｎ＋１に更新されるタイミングを表している。図７Ｇは、ｎ番目のフィールドから得られたパネル設定項目Ｃ２乃至Ｃ５の設定値ｎが、ｎ＋１番目のフィールドから得られたパネル設定項目Ｃ２乃至Ｃ５の設定値ｎ＋１に更新されるタイミングを示している。
【００７７】
以上のように、パネル設定データを、画像処理部６１を介して表示制御部６２に供給し、表示制御部６２がそれを適切に抽出することができるようにしたので、制御部６３と画像処理部６１との間にシリアル通信配線を設けることができる。その結果、シリアル通信配線を制御部６３と表示制御部６２との間に設けた場合に比べ、装置の小型化や配線間干渉を防止することができる。
【００７８】
図８は、表示制御部６２の他の構成例を示している。画像処理部６１からのビデオ信号に重畳されているパネル設定データは、図５に示したように、８クロック単位で、同じものが８個ずつ挿入されている。そこで図８の表示制御部６２には、この同じパネル設定データが複数個挿入されていることを利用した、ノイズに対する耐性を向上させる工夫がなされている。
【００７９】
デコーダ１５１は、画像処理部６１から入力されたビデオ信号をドライバ９２に供給する。デコーダ１５１はまた、ビデオ信号に重畳されているパネル設定データを抽出して、ドライバ９２に供給する。なおこの例の場合も、各垂直ブランキング期間にパネル設定データが挿入されているので、フィールド毎にパネル設定データがドライバ９２に供給される。
【００８０】
ドライバ９２は、デコーダ１５１から供給されたパネル設定データに基づいて、対応するパネル設定項目の設定値をメモリ９２Ａに適宜設定し更新するとともに、そのパネル設定値に基づいて、ビデオ信号に対応する画像を表示部１６に表示させる。
【００８１】
デコーダ１５１のラッチパルス生成部１６１には、画像処理部６１から供給された垂直同期信号とクロックが供給される。
【００８２】
ラッチパルス生成部１６１と積分／ラッチ部１６２−１乃至１６２−８（積分／ラッチ部１６２−３乃至１６２−８の図示は省略されている）について、図９に示すラッチパルス生成部１６１と積分／ラッチ部１６２で入出力される信号のタイミングチャートを参照して説明する。
【００８３】
ラッチパルス生成部１６１は、垂直同期信号（図９Ａ）が立ち下がるタイミング（垂直ブランキング期間開始時）に、内蔵するカウンタをリセットするとともに、図９Ｄに示すように、そのときから１６クロックをカウントするタイミングでラッチパルスＬ１を発生し、積分／ラッチ部１６２−１に出力する。その後、ラッチパルス生成部１６１は、８クロック間隔でラッチパルスＬ２（図９Ｆ）乃至Ｌ８を発生し、積分／ラッチ部１６２−２乃至１６２−８に出力する。
【００８４】
積分／ラッチ部１６２には、ラッチパルス生成部１６１からのラッチパルスＬ（端子latch）と、画像処理部６１から供給された信号（８ビット）（端子IN）、およびクロック（端子CK）が入力される。なお積分／ラッチ部１６２−１には、垂直同期信号（端子CLR）がさらに入力され、積分／ラッチ部１６２−２乃至１６２−８には、それぞれ１つ前段の積分／ラッチ部１６２−１乃至１６２−７のラッチパルスＬ（端子CLR）がさらに入力される。
【００８５】
例えば積分／ラッチ部１６２−１は、垂直同期信号（図９Ａ）が立ち下がるタイミング（垂直ブランキング期間開始時）に、内蔵する積分器をクリアにするとともに、クロック毎（図９Ｃ）の画像処理部６１から供給されたデータ（００ｈとデータｗ０）（８ビット）（図９Ｂ）の読み取りを開始し、ビット毎に、１の数をカウントする。そして積分／ラッチ部１６２−１は、ラッチパルス生成部１６１からラッチパルスＬ１が入力されると、そのタイミングでの各ビットについてのカウント値を、比較器１６３−１に供給する。
【００８６】
積分／ラッチ部１６２−２は、積分／ラッチ部１６２−１へのラッチパルスＬ１（図９Ｄ）が入力されると、内蔵する積分器をクリアにするとともに、クロック毎（図９Ｃ）の画像処理部６１から供給されたデータ（データｗ１）（図９Ｂ）の読み取りを開始し、ビット毎に、１の数をカウントする。そして積分／ラッチ部１６２−２は、ラッチパルス生成部１６１からラッチパルスＬ２が入力されると、そのタイミングでの各ビットについてのカウント値を、比較器１６３−２に供給する。
【００８７】
図示せぬ積分／ラッチ部１６２−３乃至１６２−８は、１個前段の積分／ラッチ部１６２−２乃至１６２−７へのラッチパルスＬ２（図９Ｆ）乃至Ｌ７が入力されると、内蔵する積分器をクリアにするとともに、クロック毎（図９Ｃ）の画像処理部６１から供給されたデータｗ（図９Ｂ）の読み取りを開始し、ビット毎に、１の数をカウントする。そしてシリアル／パラレル変換部部１６２−３乃至１６２−８は、ラッチパルス生成部１６１からラッチパルスＬ３乃至Ｌ８がそれぞれ入力されると、そのタイミングでの各ビットについてのカウント値を、対応する比較器１６３（図示せず）にそれぞれ出力する。
【００８８】
比較器１６３は、積分／ラッチ部１６２からの各ビットについてのカウント値のそれぞれと、所定の閾値とを比較し、閾値以上であれば、１を、それ未満であれば０をそれぞれ出力する。
【００８９】
例えば、比較器１６３−１は、積分／ラッチ部１６２−１からの８ビットの各ビットについてのカウント値のそれぞれと、閾値（例えば、４）とを比較し、その比較結果に応じたビットからなるデータ（８ビット）を生成し、パネル設定データとして、ドライバ９２に出力する。
【００９０】
このように複数のパネル設定データを積分するとともに、その積分結果に応じたデータを、パネル設定データとするようにしたので、例えば、図１０Ａに示すパネル設定データがビデオ信号に重畳される場合において、実際には、ノイズにより図１０Ｂの点線の枠で示されている値のようにパネル設定データが変換されても、図１０Ｂの矢印で示される値のように、正確なパネル設定データ（図１０Ａと同じデータ）を得ることができる。
【００９１】
例えば第２番目のビット（DATA[2]）は、本来１であるが（図１０Ａ）、図１０Ｂの点線の枠で示されるように０に変換されても、積分結果の比較によって（１が４個以上なので）、第２番目のビットは、１となっている。
【００９２】
第６番目のビット（DATA［6］）は、本来０であるが（図１０Ａ）、図１０Ｂの点線の枠で示されているように１に変換されても、積分結果の比較によって（１が４個未満なので）、第６番目のビットは、０となっている。
【００９３】
なお表示部１６の表示特性の初期設定は、図１１に示すように、ビデオカメラ５１の制御部６３に接続された調整治具２０１を利用して、製造時に行うことができる。
【００９４】
また以上においては、デジタルビデオカメラを例として説明したが、画像を表示する機能を有する電子装置（例えば、携帯電話機、テレビジョン受像機）であれば、本発明を適用することができる。
【図面の簡単な説明】
【００９５】
【図１】従来のビデオカメラの構成例を示すブロック図である。
【図２】本発明のビデオカメラの構成例を示すブロック図である。
【図３】図２の画像処理部の構成例を示すブロック図である。
【図４】図２の画像処理部の動作を説明するタイミングチャートである。
【図５】図４Ｆの詳細を示す図である。
【図６】図２の表示制御部の構成例を示すブロック図である。
【図７】図２の表示制御部の動作を説明するタイミングチャートである。
【図８】図２の表示制御部の他の構成例を示すブロック図である。
【図９】図８の表示制御部の動作を説明するタイミングチャートである。
【図１０】図８の表示制御部の動作を説明する図である。
【図１１】本発明のビデオカメラの他の構成例を示すブロック図である。
【符号の説明】
【００９６】
１１  撮像部，  １２  映像信号処理部，  １４  メモリ，  １６  表示部，  １８  入力制御部，  １９  記録媒体，  ６１  画像処理部，  ６２  表示制御部，  ６３  制御部，  ７１  入力部，  ７２  デコーダ，  ７３  レジスタ群，  ７４  セレクタ，  ７５  クロック発生部，  ７６  タイミング発生部，  ７７  カウンタ，  ７８  セレクタ制御部，  ７９  スイッチ，  ８０  Ｄ−ＦＦ，  ８１  レジスタ，  ９１  デコーダ，  ９２  ドライバ，  １０１  ラッチパルス生成部，  １０２  シリアル／パラレル変換部，  １６１  ラッチパルス生成部，  １６２  積分／ラッチ部，  １６３  比較器，  ２０２  調整治具
【図１】
2005260651.tif 000003
【図２】
2005260651.tif 000004
【図３】
2005260651.tif 000005
【図４】
2005260651.tif 000006
【図５】
2005260651.tif 000007
【図６】
2005260651.tif 000008
【図７】
2005260651.tif 000009
【図８】
2005260651.tif 000010
【図９】
2005260651.tif 000011
【図１０】
2005260651.tif 000012
【図１１】
2005260651.tif 000013